(57)【要約】  アーム（５）に、シャッタ（２）が閉位置および開位置の２つの位置にあるときにばね（７）とアーム（５）との間に潜り込んでばね（７）をシャッタ（２）から遠ざかる方向に持ち上げる突出部（５６ａ，５６ｂ）が設けられているため、ばね（７）が伸びて固有振動しにくくなり、異音の発生が抑制される。
2017064765.tif 000002
【特許請求の範囲】
【請求項１】
メディアを挿入する挿入口が設けられたパネルと、
一対のベース溝、回転軸凸部、ガイド凸部およびカム用凸部が設けられ、前記パネルの背面に固定されたベースと、
前記一対のベース溝に係合する一対のシャフトが設けられ、当該一対のシャフトが前記一対のベース溝内を摺動することで、前記パネルの正面において前記挿入口を塞ぐ閉位置および前記挿入口を開放する開位置にスライドするシャッタと、
各々の一端部が前記一対のシャフトに係合し、各々の他端部同士が近づいたり遠ざかったりする方向に移動可能に係合した一対のアームと、
前記一対のアームを互いに引っ張り寄せるばねとを備え、
前記一対のアームの一方または双方は、前記シャッタが閉位置および開位置の２つの位置にあるときに前記ばねと前記アームとの間に潜り込んで前記ばねを前記シャッタから遠ざかる方向に持ち上げる一対の突出部を有していることを特徴とするメディア再生装置。
【請求項２】
前記一対の突出部の、前記シャッタの閉位置および開位置へのスライドに伴って移動する前記ばねに当接する面は、前記アームから突出する高さが徐々に高くなるテーパ形状であることを特徴とする請求項１記載のメディア再生装置。
【請求項３】
前記一対の突出部は、樹脂で構成されていることを特徴とする請求項１記載のメディア再生装置。
【請求項４】
一対のベース溝、回転軸凸部、ガイド凸部およびカム用凸部が設けられたベースと、
前記一対のベース溝に係合する一対のシャフトが設けられ、当該一対のシャフトが前記一対のベース溝内を摺動することで、前記ベース上の２つの位置間をスライドするシャッタと、
各々の一端部が前記一対のシャフトに係合し、各々の他端部同士が近づいたり遠ざかったりする方向に移動可能に係合した一対のアームと、
前記一対のアームを互いに引っ張り寄せるばねとを備え、
前記一対のアームの一方または双方は、前記シャッタが前記２つの位置にあるときに前記ばねと前記アームとの間に潜り込んで前記ばねを前記シャッタから遠ざかる方向に持ち上げる一対の突出部を有していることを特徴とするシャッタ機構。
【発明の詳細な説明】
【技術分野】
【０００１】
この発明は、ＣＤ（Ｃｏｍｐａｃｔ  Ｄｉｓｃ）などのメディアを挿入する挿入口からの異物の侵入を防止するためのシャッタ機構を備えたメディア再生装置に関するものである。
【背景技術】
【０００２】
シャッタ機構の一例として、特許文献１に記載された開閉装置がある。この開閉装置においては、一対のリンク部材が、薄手の板金で構成され、一端部に取り付けボルトのねじ部を通す通し孔が設けられている。各リンク部材は、一端部を中心として回転自在にスライドシャーシに取り付けられている。また、一対のリンク部材は、他端部が互いに回転自在に連結していると共に、双方の長手方向に沿って移動自在に他端部同士が互いに連結している。一対のリンク部材の他端部間には、ばねが掛け渡されている。このばねは、他端部同士を互いに近づける方向に一対のリンク部材を付勢している。【０００３】
この開閉装置において、取り付けボルトのねじ部が、スライドシャーシのスライド孔内を移動し、かつ、リンク部材が一端部を中心としてスライドシャーシに対し回転すると共にリンク部材の他端部同士が回転およびスライド移動することで、スライドシャーシを、挿入口が形成されている前面パネルに対しスライドさせる。
【先行技術文献】
【特許文献】
【０００４】
【特許文献１】国際公開第２００６／１０６６４８号
【発明の概要】
【発明が解決しようとする課題】
【０００５】
上記特許文献１に記載された開閉装置においては、ばねは、一対のリンク部材の他端部間に掛け渡されているだけであった。そのため、スライドシャーシが挿入口を塞ぐ閉位置または開放する開位置に移動したときの衝撃により、ばねが固有振動し、びびり音などの異音が生じるという課題があった。また、外部からの振動が加わった場合にもばねが固有振動して異音が発生する可能性があった。【０００６】
ばねの振動を抑制するために、クッションなどの粘弾性部材をばねに押し当てることが考えられる。一般に、粘弾性部材は温度により特性が大きく変化するため、温度によっては粘弾性部材が弾性変形しにくくなってばねを不正な方向へ押してしまう。すると、スライドシャーシの動きが悪くなったり、スライド途中で止まったりするといった問題が引き起こされる。また、開閉を繰り返すうちにクッションが削られ振動抑制効果が低下するといったことが起こっていた。【０００７】
この発明は、上記のような課題を解決するためになされたもので、シャッタ機構を構成する一対のアーム間に掛け渡されたばねの振動を抑制して、異音を低減することを目的とする。【０００８】
なお、特許文献１のリンク部材およびスライドシャーシは、この発明のアームおよびシャッタに相当する。
【課題を解決するための手段】
【０００９】
この発明に係るメディア再生装置は、メディアを挿入する挿入口が設けられたパネルと、一対のベース溝、回転軸凸部、ガイド凸部およびカム用凸部が設けられ、パネルの背面に固定されたベースと、一対のベース溝に係合する一対のシャフトが設けられ、当該一対のシャフトが一対のベース溝内を摺動することで、パネルの正面において挿入口を塞ぐ閉位置および挿入口を開放する開位置にスライドするシャッタと、各々の一端部が一対のシャフトに係合し、各々の他端部同士が近づいたり遠ざかったりする方向に移動可能に係合した一対のアームと、一対のアームを互いに引っ張り寄せるばねとを備え、一対のアームの一方または双方は、シャッタが閉位置および開位置の２つの位置にあるときにばねとアームとの間に潜り込んでばねをシャッタから遠ざかる方向に持ち上げる一対の突出部を有しているものである。
【発明の効果】
【００１０】
この発明によれば、シャッタが閉位置および開位置の２つの位置にあるときに、一対の突出部がばねとアームとの間に潜り込んでばねをシャッタから遠ざかる方向に持ち上げるようにしたので、ばねと突出部とが当接することで、シャッタが勢いよく開閉したとしても、ばねが固有振動しにくくなり、異音の発生を抑制することができる。また、ばねが伸び、シャッタをパネル側へ押し付ける力が強くなるので、外部から振動を受けてもシャッタががたつきにくくなり、シャッタとパネルとのたたき音による異音の発生を抑制することができる。
【図面の簡単な説明】
【００１１】
【図１】この発明の実施の形態１に係るシャッタ機構が設けられたメディア再生装置のシャッタが閉じたときの正面図である。
【図２】シャッタ機構のシャッタが開いたときの正面図である。
【図３】シャッタ機構のシャッタが閉じたときの背面図である。
【図４】シャッタ機構を背面側から見た外観斜視図であり、シャッタが閉じたときを示す。
【図５】シャッタ機構を背面側から見た分解斜視図である。
【図６】シャッタの背面側に設けられたシャフトを拡大した外観斜視図である。
【図７】図７Ａはシャッタ機構の一方のアームの背面図、図７Ｂは平面図である。
【図８】図８Ａはシャッタ機構のもう一方のアームの背面図、図８Ｂは平面図である。
【図９】図９Ａはシャッタ機構のシャッタが閉じたときの背面図、図９ＢはＥ−Ｅ’線に沿って切断したばねとアームの断面図である。
【図１０】図１０Ａはシャッタ機構のシャッタがスライドしている途中の背面図、図１０ＢはＥ−Ｅ’線に沿って切断したばねとアームの断面図である。
【図１１】図１１Ａはシャッタ機構のシャッタが開いたときの背面図、図１１ＢはＥ−Ｅ’線に沿って切断したばねとアームの断面図である。
【図１２】実施の形態１に係るシャッタ機構の理解を助けるための参考例であり、アームに形成された壁部とばねを、図９ＡのＥ−Ｅ’線に沿って切断した断面図である。
【図１３】実施の形態１に係るシャッタ機構の変形例を示し、図１３Ａはアームの背面図、図１３Ｂは平面図である。
【発明を実施するための形態】
【００１２】
以下、この発明をより詳細に説明するために、この発明を実施するための形態について、添付の図面に従って説明する。
実施の形態１．
図１は、この発明の実施の形態１に係るシャッタ機構１が設けられたメディア再生装置１０のシャッタ２が閉じたときの正面図である。図２は、シャッタ機構１のシャッタ２が開いたときの正面図である。図３は、シャッタ機構１のシャッタ２が閉じたときの背面図である。
メディア再生装置１０の前面のパネル３には、ＣＤなどのメディアを出し入れする挿入口３１と、シャッタ２がスライドする方向に伸びた２本のガイド溝３２が設けられている。図示例の挿入口３１は、ＣＤを出し入れする開口部であるが、これに限定されるものではなく、例えばＵＳＢ（Ｕｎｉｖｅｒｓａｌ  Ｓｅｒｉａｌ  Ｂｕｓ）メモリを抜き差しするコネクタなどであってもよい。開口部からメディア再生装置１０内部への異物の侵入を防止するため、またはコネクタを保護するために、パネル３の外側にシャッタ２が設けられている。
【００１３】
以下では、シャッタ２が挿入口３１を塞ぐ位置、つまり図１に示すシャッタ２の位置を「閉位置」と呼び、シャッタ２が挿入口３１を開放する位置、つまり図２に示すシャッタ２の位置を「開位置」と呼ぶ。
また、シャッタ機構１をメディア再生装置１０に適用した例を説明するが、シャッタ機構１をどのような装置に適用してもよい。
【００１４】
図４は、シャッタ機構１を背面側から見た外観斜視図であり、シャッタ２が閉じたときを示す。図５は、シャッタ機構１を背面側から見た分解斜視図である。パネル３の背面側には、メディアに記憶されているデータを読み出して再生する再生部があるが、図示を省略している。
シャッタ機構１は、シャッタ２と、ベース４と、アーム５，６と、ばね７とを備えている。アーム５，６とばね７は、シャッタ２を開位置と閉位置の２つの位置にスライドさせ保持するリンク機構を構成する。
【００１５】
シャッタ２の背面側には、パネル３の２本のガイド溝３２およびベース４の２本のベース溝４１に挿入される２本のシャフト８が固定されている。ここで、図６に、シャッタ２の背面側に設けられたシャフト８を拡大した外観斜視図を示す。図６に示すように、シャフト８には、根元側から先端側へ向かって、円筒部８１、中径部８２、小径部８３および先端部８４が形成されている。円筒部８１は、ガイド溝３２の幅よりも若干小径である。中径部８２は、円筒部８１より小径である。小径部８３は、中径部８２よりも小径である。先端部８４は、円筒部８１と同径である。２本のシャフト８の各円筒部８１がシャッタ２の２本のガイド溝３２に係合してガイド溝３２内を摺動することにより、シャッタ２がパネル３に対してガイド溝３２と同じスライド方向にスライドすることができる。また、円筒部８１がガイド溝３２におけるスライド方向の両端部に当接することにより、シャッタ２が開位置および閉位置で位置決めされる。
【００１６】
パネル３の背面側には、２本のねじ９により、薄板板金のベース４が取り付けられている。このベース４には、２本のシャフト８に係合する２本のベース溝４１が設けられている。ベース溝４１は、スライド部４５および大径部４６から成る。スライド部４５は、ガイド溝３２に向かい合う位置に形成され、シャッタ２のスライド方向に伸びた形状であって、その幅は、シャフト８の中径部８２の径よりも広く、円筒部８１の径よりも狭い。大径部４６は、スライド部４５の端部からシャッタ２のスライド方向と直交する方向に伸び、シャフト８の先端部８４の径よりも大径である。また、ベース４には、アーム５の回転中心軸となる回転軸凸部４２と、アーム６の回転および後述する遠近方向への移動のガイドとなるガイド凸部４３と、アーム６のカム溝６１に係合するカム用凸部４４とが、絞り加工で施されている。さらに、ベース４には、回転軸凸部４２を中心とする円弧溝４７が設けられている。
【００１７】
アーム５，６は、ベース４の背面、つまり再生部に対向する面に取り付けられている。
図７Ａはアーム５の背面図、図７Ｂはアーム５の平面図である。このアーム５は、ポリカーボネート（ＰＣ）またはポリオキシメチレン（ＰＯＭ）などの樹脂により成形されており、回転軸穴５１、シャフト係合穴５２、ばねフック５３、アーム係合穴５４、フック部５５および突出部５６ａ，５６ｂが形成されている。回転軸穴５１は、ベース４の回転軸凸部４２と係合する。シャフト係合穴５２はアーム５の一端部に形成され、角穴部５２ａおよび丸穴部５２ｂから成る鍵穴形状であり、シャフト８に係合する。角穴部５２ａの幅は、シャフト８の小径部８３の径よりも広く、中径部８２の径よりも狭い。丸穴部５２ｂは、シャフト８の先端部８４の径よりも大径である。ばねフック５３は、アーム５の背面側において回転軸穴５１とシャフト係合穴５２の間に設けられ、ばね７の一端部を引っ掛けて固定する。アーム係合穴５４は、アーム５におけるシャフト係合穴５２とは反対の他端部に形成された、アーム５とアーム６が近づいたり遠ざかったりする遠近方向に長い長穴であり、アーム６の凸部６５と係合する。フック部５５は弾性を有し、アーム５の正面側、つまりベース４側に形成されて円弧溝４７に係合する。図示例では、フック部５５をスナップフィット形状にすることで弾性を持たせている。
【００１８】
突出部５６ａは、アーム５の背面、かつ、シャッタ２が閉位置にあるときにばね７とオーバラップする位置に、形成されている。この突出部５６ａは、シャッタ２が閉位置にあるとき、ばね７の下、つまりばね７とアーム５背面との間に潜り込んで、ばね７をシャッタ２から遠ざかる再生部側へと持ち上げる。
突出部５６ｂは、アーム５の背面、かつ、シャッタ２が開位置にあるときにばね７とオーバラップする位置に、形成されている。この突出部５６ｂは、シャッタ２が開位置にあるとき、ばね７の下に潜り込んで再生部側へ持ち上げる。
【００１９】
また、突出部５６ａ，５６ｂそれぞれの中心側の面に、アーム５背面から突出する高さが徐々に高くなるテーパ部５７ａ，５７ｂが形成されていてもよい。
テーパ部５７ａは、シャッタ２の開位置から閉位置へのスライドに伴って移動するばね７に当接し、ばね７が突出部５６ａの頂点部へ登るときのガイドとなる。テーパ部５７ｂは、シャッタ２の閉位置から開位置へのスライドに伴って移動するばね７に当接し、ばね７が突出部５６ｂの頂点部へ登るときのガイドとなる。
【００２０】
図８Ａはアーム６の背面図、図８Ｂはアーム６の平面図である。このアーム６も、アーム５と同様に樹脂成形されており、カム溝６１、係合穴６２、シャフト係合穴６３、ばねフック６４および凸部６５が形成されている。カム溝６１は、シャッタ２のスライド方向に略直交する方向へ突出した突出部６１ａが形成された曲線状であり、ベース４のカム用凸部４４に係合する。係合穴６２は、アーム５とアーム６が近づいたり遠ざかったりする遠近方向に長い長穴であり、ベース４のガイド凸部４３に係合してアーム６の回転および遠近方向への移動のガイドとなる。シャフト係合穴６３はアーム６の一端部に形成され、角穴部６３ａおよび丸穴部６３ｂから成る鍵穴形状であり、シャフト８に係合する。角穴部６３ａの幅は、シャフト８の小径部８３の径よりも広く、中径部８２よりも狭い。丸穴部６３ｂは、シャフト８の先端部８４の径よりも大径である。ばねフック６４は、アーム６の背面側において係合穴６２とシャフト係合穴６３の間に設けられ、ばね７の他端部を引っ掛けて固定する。凸部６５は、アーム６におけるシャフト係合穴６３とは反対の他端部に形成され、アーム５のアーム係合穴５４に係合する。
【００２１】
ばね７は、引っ張りばねであり、一端部がアーム５のばねフック５３に取り付けられ、他端部がアーム６のばねフック６４に取り付けられている。このばね７により、アーム５とアーム６には、互いを引っ張り寄せる方向の力が働いている。
【００２２】
次に、シャッタ機構１の組立方法を説明する。
先ず、シャッタ２に固定された各々のシャフト８が、パネル３のガイド溝３２に各々挿入され、シャッタ２が開位置に位置決めされる。続いて、ガイド溝３２を貫通した各々のシャフト８が、ベース４の各々のベース溝４１の大径部４６にはめ込まれ、ベース４が図５のＡ方向にスライドされることによってシャフト８が大径部４６からベース溝４１のスライド部４５に移動された後、ねじ９によりパネル３とベース４とが固定される。これにより、パネル３の正面側にシャッタ２が取り付けられ、パネル３の背面側にベース４が取り付けられた状態になる。なお、この状態では、パネル３のガイド溝３２にはシャフト８の円筒部８１が係合している。また、ベース４のベース溝４１は、シャフト８の中径部８２に係合しており、ベース４は円筒部８１と先端部８４との間に位置する。円筒部８１および先端部８４の径と、ベース溝４１の幅との大小関係により、この状態でシャフト８がベース４に保持される。
【００２３】
続いて、アーム６がベース４に取り付けられる。その際、先ず、アーム６のシャフト係合穴６３の丸穴部６３ｂにシャフト８の先端部８４が挿入され、アーム６がＡ方向にスライドされることによってシャフト８が角穴部６３ａに移動される。続いて、係合穴６２がガイド凸部４３にはめ込まれ、カム溝６１がカム用凸部４４にはめ込まれて、アーム６がベース４に取り付けられた状態になる。この状態では、アーム６の角穴部６３ａにシャフト８の小径部８３が係合している。
【００２４】
続いて、アーム５がベース４に取り付けられる。その際、先ず、アーム５のシャフト係合穴５２の丸穴部５２ｂにシャフト８の先端部８４が挿入され、アーム５がＡ方向とは反対の方向にスライドされることによってシャフト８が角穴部５２ａに移動される。続いて、回転軸穴５１が回転軸凸部４２にはめ込まれ、アーム係合穴５４が凸部６５にはめ込まれ、スナップフィット形状をしたフック部５５が円弧溝４７にはめ込まれて、アーム５がベース４に取り付けられた状態になる。この状態では、アーム５の角穴部５２ａにシャフト８の小径部８３が係合している。
その後、ばね７がアーム５のばねフック５３と、アーム６のばねフック６４に取り付けられて、シャッタ機構１の組立が完成する。
【００２５】
従来は、アーム５，６をベース４に取り付けるために、ネジ、Ｅリングまたはカットワッシャなどの締結部材が必要であり、組立性が悪かった。
これに対し、本実施の形態１では、シャフト係合穴５２，６３にシャフト８の小径部８３がはまり込み、小径部８３よりも大径の先端部８４がシャフト係合穴５２，６３周辺に当接して浮きを抑える。また、アーム５がアーム６に被さるように重なって取り付けられているため、アーム５がアーム６の浮きを抑える。さらに、アーム５は、スナップフィット形状のフック部５５が円弧溝４７に係合することによってベース４に取り付けられている。従って、締結部材を必要とせず、組立性が優れたシャッタ機構１を提供することができる。
【００２６】
次に、シャッタ機構１の動作を説明する。
図９Ａはシャッタ機構１のシャッタ２が閉じたときの背面図、図９ＢはＥ−Ｅ’線に沿って切断したばね７とアーム５の断面図であり、破線はばね７がばらついたときの位置である。図１０Ａはシャッタ機構１のシャッタ２が開位置と閉位置の間をスライドしている途中の背面図、図１０ＢはＥ−Ｅ’線に沿って切断したばね７とアーム５の断面図である。図１１Ａはシャッタ機構１のシャッタ２が開いたときの背面図、図１１ＢはＥ−Ｅ’線に沿って切断したばね７とアーム５の断面図であり、破線はばね７がばらついたときの位置である。なお、図９〜図１１ではパネル３の図示を省略している。
【００２７】
図１、図３および図９Ａのようにシャッタ２が閉位置にあって挿入口３１が塞がった状態では、ばね７の弾性力による荷重が、アーム５とアーム６とを互いに引き寄せるように働く。この荷重により、アーム５は、回転軸凸部４２に係合した回転軸穴５１を支点として図３の＋Ｂ方向に付勢されており、アーム６は、ガイド凸部４３に係合した係合穴６２を支点として図３の＋Ｃ方向に付勢されている。この付勢力が各々のシャフト８に作用し、円筒部８１がガイド溝３２の端部に押し付けられ、シャッタ２が閉じる方向に押されることになる。
【００２８】
また、ばねフック５３，６４をアーム５，６のできるだけ外側、かつ、アーム５，６のシャッタ２に近い側の正面ではなくシャッタ２から遠い側の背面に設けている。このような構造により、ばね７の引っ張る力によりアーム５，６が再生部側に持ち上がりやすくなり、シャッタ２がパネル３に押し付けられる。よって、シャッタ２のがたつきが抑制され、振動等によるシャッタ２とパネル３とのたたき音による異音の発生が抑制される。
なお、アーム５のできるだけ外側とは、回転軸穴５１よりも、シャフト係合穴５２に係合するシャフト８に近い位置とする。また、アーム６のできるだけ外側とは、係合穴６２よりも、シャフト係合穴６３に係合するシャフト８に近い位置とする。
【００２９】
さらに、図９Ｂに示すように、アーム５の突出部５６ａがばね７の下に潜り込んで再生部側へ持ち上げるため、ばね７が伸びる。そのため、シャッタ２が勢いよく閉じ、シャフト８がガイド溝３２の端部に勢いよく衝突したとしても、ばね７の固有振動が抑制され、異音の発生が抑制される。また、シャッタ２をパネル３に押し付ける力が強くなるので、シャッタ２のがたつきが抑制され、シャッタ２とパネル３とのたたき音による異音の発生が抑制される。
【００３０】
シャッタ２が閉位置にあるとき、メディアを挿入口３１へ挿入するために、ユーザが、シャッタ２に作用している付勢力に逆らってシャッタ２に力を加えて開ける方向へスライドさせる。ユーザがシャッタ２をスライドさせようとする力が、各々のシャフト８を介してアーム５，６へ作用し、図９Ａの状態のアーム５は、回転軸穴５１を支点として−Ｂ方向に回転し、アーム６は係合穴６２を支点として−Ｃ方向に回転する。
【００３１】
シャッタ２が閉位置にあるとき、ばね７の荷重により、カム溝６１の突出部６１ａよりも端に、ベース４のカム用凸部４４が係合して、図９Ｂの状態になっている。ユーザがシャッタ２をスライドさせ、アーム６が−Ｃ方向に回転すると、カム用凸部４４が突出部６１ａの斜面を登りながらカム溝６１内を相対的に移動し、図１０Ｂの状態になる。このとき、図１０Ａのように、長穴形状の係合穴６２内をガイド凸部４３が相対的に移動し、アーム６がアーム５から相対的に遠ざかる方向に、つまりばね７が伸びる方向に移動する。そして、カム用凸部４４が突出部６１ａを乗り越える直前には、ばね７が最大に伸ばされた状態となり、ばね反力が最大となる。そのため、アーム６の回転開始から途中までは、急激に回転に抗する力が増すことになり、シャッタ２をスライドさせるのに要する力も増える。また、図９Ｂの状態から図１０Ｂの状態へ遷移する際、カム溝６１が、アーム６、およびこのアーム６と他端部同士が係合しているアーム５を閉方向へ付勢するカムとして機能し、シャッタ２を閉位置に保持する強い力が生じる。
【００３２】
その後、カム用凸部４４が突出部６１ａを乗り越えたときには、図１０Ｂから図１１Ｂの状態に移ろうと、ばね７の反力により急速にカム用凸部４４が突出部６１ａを相対的に滑り下りながらカム溝６１内を移動する。そのため、アーム６は、係合穴６２を支点として、−Ｃ方向へ急速に回転する。アーム５とアーム６とは、アーム係合穴５４と凸部６５との係合によりリンク結合しているので、略軸対称の動きとなる。よって、アーム６の−Ｃ方向への急速な回転に合わせて、アーム５も、回転軸穴５１を支点として−Ｂ方向へ急速に回転する。アーム５およびアーム６に係合されたシャフト８は、ガイド溝３２に沿ってＤ方向に移動し、同様にシャッタ２は開き方向に移動する。その後、シャフト８の円筒部８１がガイド溝３２の端部に当接すると、図２および図１１Ａのようにシャッタ２が開位置にあって挿入口３１が開放された状態で静止する。
【００３３】
シャッタ２が閉位置から開位置へスライドするとき、ばね７がアーム５のテーパ部５７ｂを登って突出部５６ｂに乗り上がる。そして、図１１Ａに示すようにシャッタ２が開位置にあるとき、図１１Ｂに示すように、突出部５６ｂがばね７の下に潜り込んで再生部側へ持ち上げる。そのため、シャッタ２が勢いよく開き、シャフト８がガイド溝３２の端部に勢いよく衝突したとしても、ばね７の固有振動が抑制され、異音の発生が抑制される。また、シャッタ２をパネル３に押し付ける力が強くなるので、シャッタ２のがたつきが抑制され、異音の発生が抑制される。
【００３４】
シャッタ２が開位置にあるとき、ばね７の荷重が、アーム５とアーム６とを互いに引き寄せるように働く。この荷重により、アーム５は、回転軸凸部４２に係合した回転軸穴５１を支点として図３の−Ｂ方向に付勢され、アーム６は、ガイド凸部４３に係合した係合穴６２を支点として図３の−Ｃ方向に付勢される。この付勢力が各々のシャフト８に作用し、円筒部８１がガイド溝３２の端部に押し付けられ、シャッタ２が開く方向に押されることになる。また、カム溝６１が、アーム６、およびこのアーム６と他端部同士が係合しているアーム５を開方向へ付勢するカムとして機能し、シャッタ２を開位置に保持する強い力が生じる。
【００３５】
シャッタ２が開位置にあるとき、ユーザがシャッタ２に作用している付勢力に逆らってシャッタ２を閉じる方向へスライドさせると、図１１Ａの状態のアーム５は、回転軸穴５１を支点として＋Ｂ方向に回転し、アーム６は係合穴６２を支点として＋Ｃに回転する。シャッタ２が開位置から閉位置へ移動するときのシャッタ機構１の動作は、シャッタ２が閉位置から開位置へ移動するときのシャッタ機構１の動作の向きが反対になっただけであるため、説明を省略する。
【００３６】
ここで、図１２に、実施の形態１に係るシャッタ機構１の理解を助けるための参考例として、アーム５の背面に形成された壁部５８ａ，５８ｂの構成を示す。図１２は、アーム５に形成された壁部５８ａ，５８ｂとばね７を、図９ＡのＥ−Ｅ’線に相当する位置で切断した断面図である。図１２の参考例では、シャッタ２が閉位置にあるとき、壁部５８ａをばね７の側面に押し当て、ばね７の固有振動を抑制する。シャッタ２を閉位置で保持するためには、ばね７の＋Ｂ方向の付勢力をアーム５に作用させシャッタ２を保持させるが、図１２の参考例では、ばね７が壁部５８ａに押し当てられることにより−Ｂ方向に押され、ばね７の荷重が作用する方向が変化し、シャッタ２を閉位置で保持する力が弱まってしまう。
シャッタ２が開位置にあるときは、壁部５８ｂをばね７の側面に押し当て、ばね７の固有振動を抑制する。シャッタ２を開位置で保持するためには、ばね７の−Ｂ方向の付勢力をアーム５に作用させシャッタ２を開位置で保持するが、図１２の参考例では、ばね７が壁部５８ｂに押し当てられることにより＋Ｂ方向に押され、ばね７の荷重が作用する方向が変化し、シャッタ２を開位置で保持する力が弱まってしまう。
【００３７】
図１２の参考例のようにばね７を壁部５８ａ，５８ｂに当接させただけの構成では、ばね７の固有振動は抑制できるが、ばね７の荷重が作用する方向が変化してシャッタ２の保持力が弱まってしまう。これに対し、実施の形態１のシャッタ機構１は、ばね７を突出部５６ａ，５６ｂに当接させるだけでなく、再生部側へ持ち上げる構成であるため、ばね７の固有振動を抑制するだけでなくシャッタ２の保持力を強くすることができる。
【００３８】
また、突出部５６ａ，５６ｂの各頂点部は平面であり、シャッタ２が閉位置および開位置にあるときに各々の平面がばね７に当接する。これにより、部品のばらつきおよび組み立てのばらつきにより、図９Ｂおよび図１１Ｂのようにシャッタ２のスライド方向におけるばね７の位置のばらつきが発生したとしても、ばね７が確実に突出部５６ａ，５６ｂの頂点部の平面に当接できる。また、ばね７の荷重が作用する方向も変化しない。そのため、信頼性の高いシャッタ機構１を実現できる。
【００３９】
以上より、実施の形態１に係るメディア再生装置１０は、メディアを挿入する挿入口３１が設けられたパネル３と、一対のベース溝４１、回転軸凸部４２、ガイド凸部４３およびカム用凸部４４が設けられ、パネル３の背面に固定されたベース４と、一対のベース溝４１に係合する一対のシャフト８が設けられ、当該一対のシャフト８が一対のベース溝４１内を摺動することで、パネル３の正面において挿入口３１を塞ぐ閉位置および挿入口３１を開放する開位置にスライドするシャッタ２と、各々の一端部が丸穴部５２ｂ，６３ｂにより一対のシャフト８に係合し、各々の他端部同士がアーム係合穴５４と凸部６５により近づいたり遠ざかったりする方向に移動可能に係合したアーム５，６と、アーム５，６を互いに引っ張り寄せるばね７とを備えている。アーム５は、シャッタ２が閉位置および開位置の２つの位置にあるときにばね７とアーム６との間に潜り込んでばね７をシャッタ２から遠ざかる方向に持ち上げる突出部５６ａ，５６ｂを有している。
ばね７と突出部５６ａ，５６ｂとが当接することで、シャッタ２が勢いよく開閉したとしても、ばね７が固有振動しにくくなり、異音の発生を抑制することができる。また、ばね７が伸び、シャッタ２をパネル３側へ押し付ける力が強くなるので、外部から振動を受けてもシャッタ２ががたつきにくくなり、シャッタ２とパネル３とのたたき音による異音の発生を抑制することができる。
【００４０】
また、実施の形態１によれば、突出部５６ａ，５６ｂの、シャッタ２の閉位置および開位置へのスライドに伴って移動するばね７に当接する面に、アーム５背面から突出する高さが徐々に高くなるテーパ部５７ａ，５７ｂが形成されている。これにより、ばね７が突出部５６ａ，５６ｂへ登りやすくなり、固有振動しにくくなる。
【００４１】
また、実施の形態１によれば、突出部５６ａ，５６ｂが設けられたアーム５は樹脂で構成されている。これにより、ばね７と突出部５６ａ，５６ｂは、金属と樹脂という異なる材質同士の当接となり、当接時の異音の発生を抑制することができる。
【００４２】
なお、実施の形態１の図１〜図１１における図示例では、突出部５６ａ，５６ｂをアーム５に形成したが、もう一方のアーム６に形成してもよい。
ここで、図１３に、突出部６６ａ，６６ｂをアーム６に形成した変形例を示す。図１３Ａはアーム６の背面図、図１３Ｂはアーム６の平面図である。アーム６の背面に形成された突出部６６ａは、シャッタ２が閉位置にあるとき、ばね７とアーム６背面との間に潜り込んで、ばね７をシャッタ２から遠ざかる方向へ持ち上げる。同じくアーム６の背面に形成された突出部６６ｂは、シャッタ２が開位置にあるとき、ばね７とアーム６背面との間に潜り込んで、ばね７をシャッタ２から遠ざかる方向へ持ち上げる。
また、突出部６６ａ，６６ｂそれぞれの中心側の面に、アーム６背面から突出する高さが徐々に高くなるテーパ部６７ａ，６７ｂが形成されていてもよい。
【００４３】
さらに、アーム５に突出部５６ａ，５６ｂが形成されていると共に、アーム６にも突出部６６ａ，６６ｂが形成されていてもよい。アーム５，６の双方に突出部５６ａ，５６ｂ，６６ａ，６６ｂが形成されている場合、部品のばらつきまたは組み立てのばらつき等があったとしても、より確実に、ばね７をシャッタ２から遠ざかる方向へ持ち上げることができる。
【００４４】
なお、本発明はその発明の範囲内において、実施の形態の任意の構成要素の変形、または実施の形態の任意の構成要素の省略が可能である。
例えば、シャッタ機構１は、メディア再生装置１０に適用するものに限らず、シャッタによる開閉を必要とする各種装置に適用可能である。その場合、シャッタ機構１は少なくとも、一対のベース溝４１、回転軸凸部４２、ガイド凸部４３およびカム用凸部４４が設けられたベース４と、一対のベース溝４１に係合する一対のシャフト８が設けられ、当該一対のシャフト８が一対のベース溝４１内を係合することで、開位置および閉位置に相当するベース４上の２つの位置間をスライドするシャッタ２と、各々の一端部が一対のシャフト８に係合し、各々の他端部同士が近づいたり遠ざかったりする方向に移動可能に係合したアーム５，６と、アーム５，６を互いに引っ張り寄せるばね７とを備えていればよい。そして、少なくとも一方のアーム５には、シャッタ２が２つの位置にあるときにばね７とアーム５との間に潜り込んでばね７をシャッタ２から遠ざかる方向に持ち上げる突出部５６ａ，５６ｂが設けられた構成とする。この構成の場合にも、上記同様、ばね７およびシャッタ２が振動しにくくなり、異音の発生を抑制することができる。
【産業上の利用可能性】
【００４５】
この発明に係るシャッタ機構は、ばねおよびシャッタの振動を抑制するようにしたので、車両などの振動がある環境において使用される装置に用いるのに適している。
【符号の説明】
【００４６】
１  シャッタ機構、２  シャッタ、３  パネル、４  ベース、５  アーム、６  アーム、７  ばね、８  シャフト、９  ねじ、１０  メディア再生装置、３１  挿入口、３２  ガイド溝、４１  ベース溝、４２  回転軸凸部、４３  ガイド凸部、４４  カム用凸部、４５  スライド部、４６  大径部、４７  円弧溝、５１  回転軸穴、５２  シャフト係合穴、５２ａ  角穴部、５２ｂ  丸穴部、５３  ばねフック、５４  アーム係合穴、５５  フック部、５６ａ，５６ｂ  突出部、５７ａ，５７ｂ  テーパ部、５８ａ，５８ｂ  壁部、６１  カム溝、６２  係合穴、６３  シャフト係合穴、６３ａ  角穴部、６３ｂ  丸穴部、６４  ばねフック、６５  凸部、６６ａ，６６ｂ  突出部、６７ａ，６７ｂ  テーパ部、８１  円筒部、８２  中径部、８３  小径部、８４  先端部。
【図１】
2017064765.tif 000003
【図２】
2017064765.tif 000004
【図３】
2017064765.tif 000005
【図４】
2017064765.tif 000006
【図５】
2017064765.tif 000007
【図６】
2017064765.tif 000008
【図７】
2017064765.tif 000009
【図８】
2017064765.tif 000010
【図９】
2017064765.tif 000011
【図１０】
2017064765.tif 000012
【図１１】
2017064765.tif 000013
【図１２】
2017064765.tif 000014
【図１３】
2017064765.tif 000015
【国際調査報告】
2017064765.tif 000016
2017064765.tif 000017
2017064765.tif 000018